(57)【要約】【課題】  広帯域でタービン効率ηｔｍの高効率化を図ることができるツインノズル方式のタービン装置を提供する。【解決手段】  第１及び第２のスクロール室３０Ａ、３０Ｂ内の排気ガスを夫々タービンホイール１０に導く１次ノズル５３及び２次ノズル５４と、２次ノズル５４を通る排気ガスの流量を調整可能な流量調整バルブ２１とを備えるタービン装置であって、２次ノズル５４に流入しようとするガスを迂回させることが可能なウエストゲートバルブ２５を備えるとともに、２次ノズル５４の高さｄが、ウエストゲートバルブ２５が作動していない状態で最大必要流量Ｑｍａｘが得られるときの高さである１ｍｍを基準高さとして、この基準高さよりも低くなるように設定されている。【選択図】  図１
2008231993.tif 000002
【特許請求の範囲】
【請求項１】
タービンスクロール室内のガスを夫々タービンホイールに導く１次ノズル及び２次ノズルと、該２次ノズルを通るガスの流量を調整可能な流量調整手段とを備えるタービン装置であって、
前記２次ノズルに流入しようとするガスを迂回させることが可能なウエストゲート手段を備えるとともに、
前記２次ノズルの高さが、前記ウエストゲート手段が作動していない状態で最大必要流量が得られるときの高さを基準高さとして、該基準高さよりも低くなるように設定されていることを特徴とするタービン装置。
【請求項２】
前記ウエストゲート手段が、前記最大必要流量が得られるように、前記２次ノズルに流入しようとするガスを迂回させることができる特性を有していることを特徴とする請求項１記載のタービン装置。
【請求項３】
前記ウエストゲート手段が、さらに前記ウエストゲート手段が作動していない状態で、前記２次ノズルの高さが前記基準高さになっている場合に前記最大必要流量が得られるときのタービン効率よりも、前記最大必要流量が得られるときのタービン効率が高くなるように、前記２次ノズルに流入しようとするガスを迂回させることができる特性を有していることを特徴とする請求項２記載のタービン装置。
【請求項４】
前記ウエストゲート手段が、設定されている前記２次ノズルの高さで流量に応じて変化するタービン効率が最大になるときに作動した場合に、少なくとも前記最大必要流量が得られるように、前記２次ノズルに流入しようとするガスを迂回させることができる特性を有していることを特徴とする請求項２または３記載のタービン装置。
【請求項５】
前記２次ノズルの高さが、前記ウエストゲート手段が作動していない状態で流量に応じた最大タービン効率を示すものとして定義された最大効率曲線に含まれるタービン効率のうち、最大の第１の特定タービン効率を得ることができる高さに設定されているとともに、
前記ウエストゲート手段が、前記第１の特定タービン効率が得られるときに作動した場合に、少なくとも前記最大必要流量が得られるように、前記２次ノズルに流入しようとするガスを迂回させることができる特性を有していることを特徴とする請求項２から４いずれか１項記載のタービン装置。
【請求項６】
前記２次ノズルの高さが、前記ウエストゲート手段が作動していない状態で流量に応じた最大タービン効率を示すものとして定義された最大効率曲線と、前記ウエストゲート手段が作動している状態で流量に応じたタービン効率を示すものとして定義された作動流線とが１点で接するときに対応した第２の特定タービン効率を得ることができる高さに設定されているとともに、
前記ウエストゲート手段が、前記第２の特定タービン効率が得られるときに作動した場合に、少なくとも前記最大必要流量が得られるように、前記２次ノズルに流入しようとするガスを迂回させることができる特性を有していることを特徴とする請求項２から４いずれか１項記載のタービン装置。
【発明の詳細な説明】
【技術分野】
【０００１】
本発明はタービン装置に関し、特にツインノズル方式のターボ過給機用として好適なツインノズル方式のタービン装置に関する。
【背景技術】
【０００２】
近年、ツインノズル方式のターボ過給機が開発されている。ツインノズル方式のターボ過給機としては、例えば図１２に示すようにタービンスクロール室内のガスを夫々タービンホイールに導く１次ノズル及び２次ノズルと、２次ノズルを通るガスの流量を調整可能な流量調整バルブとを備えているものが知られている。係るツインノズル方式のターボ過給機では、流量が小さい低速域では１次ノズルのみを使用することで、タービンホイールに導かれるガスの流速を高めることができることから、低速域での過給性能を確保できる。また、流量が増大する中速域では２次ノズルを併用して流量を調整でき、さらに高流量の高速域では流量調整バルブを全開にして２次ノズルへのガスの流入を最大限許可できることから、広帯域で過給を行うことができる。係るツインノズル方式のターボ過給機に関し、本発明と関連性があると考えられる技術が例えば特許文献１で提案されている。また、本発明の構成であるウエストゲート手段と関連性があると考えられる技術が例えば特許文献２で提案されている。
【０００３】
【特許文献１】特開２００６−３７８１８号公報
【特許文献２】特開２００５−３３０８３６号公報
【発明の開示】
【発明が解決しようとする課題】
【０００４】
ツインノズル方式のターボ過給機で高速域において大きな流量を確保するためには、２次ノズルの高さを大きくする必要がある。ところが、このとき設計上必要とされる必要最大流量が得られる高さまで２次ノズルの高さを大きくすると、タービン効率が低下してしまうことがある。図１３はツインノズル方式のターボ過給機のタービン効率ηｔｍの一例を示す図であり、具体的には図１３では膨張比εが一定の場合について、２次ノズルの高さｄが０．４２ｍｍ、０．７５ｍｍ及び１ｍｍである場合のタービン効率ηｔｍを夫々示している。
【０００５】
ここで、破線で示す曲線Ｒ１は流量に応じた最大タービン効率を示すものとして定義された最大効率曲線であり、この最大効率曲線Ｒ１は流動解析で以下のようにして定義できる。まず、２次ノズルの高さｄとそのときのタービン効率ηｔｍは、膨張比εが一定の場合に流動解析で次の数１に示す式で規定できる。
（数１）
ηｔｍ＝η（ｄ）｜ε
一方、タービン流量Ｑと２次ノズルの高さｄの関係も数２に示す式で表現できる。なお、タービン流量Ｑと２次ノズルの高さｄの関係はおよそ図１４に示すような関係になっている。
（数２）
Ｑ＝Ｑ（ｄ）｜ε
したがって、数１及び数２の式で示される相関関係から、タービン効率ηｔｍは数３に示す式に置き直すことができ、図１３に示す最大効率曲線Ｒ１はこの数３に示す式に基づくものとなっている。
（数３）
ηｔｍ＝η´（Ｑ）｜ε
なお、数３に示す式のタービン流量Ｑは、数２に示す式より２次ノズルの高さｄを含むことから、図１３に示す最大効率曲線Ｒ１において２次ノズルの高さｄは一定ではない。
【０００６】
ところで、この例ではタービン流量がＱ０になったときに１次ノズルのみを使用していた状態から２次ノズルを併用する状態に切り替えられ、これによりさらに大きな流量が確保される。ところが必要最大流量はＱｍａｘであり、この例では２次ノズルの高さｄが１ｍｍよりも小さい場合には、２次ノズルを併用しても必要最大流量Ｑｍａｘを確保できないことがわかる。
【０００７】
しかしながら、図１３から２次ノズルの高さｄを１ｍｍにすると、Ｑｍａｘを確保できる一方で、タービン効率ηｔｍが低下してしまうことがわかる。すなわち、２次ノズルの高さｄが大きい場合には小さい場合と比較して最大流量時Ｐのタービン効率が低下してしまうことがわかる。さらに２次ノズルの高さｄが大きい場合には小さい場合と比較して、２次ノズルを併用したときに全体的にタービン効率ηｔｍが低くなってしまっていることがわかる。
【０００８】
これは、２次ノズルの高さｄを大きくしていった場合には、大きな流量を確保できる一方で、ガスが２次ノズルに到達するまでの間に、流量調整バルブの絞りで高められたガスの流速が低下してしまうためと考えられる。他方、ツインノズル方式のターボ過給機では、流量調整バルブが高速域で全開となった後には例えばスロットルで制御する等以外に過給制御を行うことが構造上困難となることから、背圧が大きくなってしまうという問題もあった。
【０００９】
そこで、本発明は上記の課題に鑑みてなされたものであり、広帯域でタービン効率の高効率化を図ることができるツインノズル方式のタービン装置を提供することを目的とする。
【課題を解決するための手段】
【００１０】
上記課題を解決するために、本発明はタービンスクロール室内のガスを夫々タービンホイールに導く１次ノズル及び２次ノズルと、該２次ノズルを通るガスの流量を調整可能な流量調整手段とを備えるタービン装置であって、前記２次ノズルに流入しようとするガスを迂回させることが可能なウエストゲート手段を備えるとともに、前記２次ノズルの高さが、前記ウエストゲート手段が作動していない状態で最大必要流量が得られるときの高さを基準高さとして、該基準高さよりも低くなるように設定されていることを特徴とする。
【００１１】
ここで、２次ノズルの高さとして上記の基準高さよりも低い高さを設定した場合には、タービン効率を向上させることができる一方で、必要最大流量を確保できなくなる。これに対して本発明によれば、ウエストゲート手段を作動させることで背圧の上昇を抑制するとともに、必要最大流量を確保することも可能になる。またこのときタービン効率は流量が増大するにつれてウエストゲート手段が有する特性に基づいて低下していくが、これに対して本発明によれば、ウエストゲート手段の特性に見合った２次ノズルの高さとして、上記の基準高さよりも低い高さを適宜設定することで、広帯域でタービン効率の高効率化を図ることも可能になる。なお、ウエストゲート手段が作動していない状態で、とはウエストゲート手段を備えていない状態でと換言できる。
【００１２】
また本発明は前記ウエストゲート手段が、前記最大必要流量が得られるように、前記２次ノズルに流入しようとするガスを迂回させることができる特性を有していてもよい。ここでウエストゲート手段の特性は種々考えられるところ、ウエストゲート手段は具体的には上記の特性を有していることが好ましい。なお、本発明に対して請求項１記載の発明は、例えば最大必要流量より低くとも、これに近い流量が得られる場合にも、広帯域でタービン効率の高効率化を図ることについて相応の効果を得ることができることに鑑みたものである。
【００１３】
また本発明は前記ウエストゲート手段が、さらに前記ウエストゲート手段が作動していない状態で、前記２次ノズルの高さが前記基準高さになっている場合に前記最大必要流量が得られるときのタービン効率よりも、前記最大必要流量が得られるときのタービン効率が高くなるように、前記２次ノズルに流入しようとするガスを迂回させることができる特性を有していてもよい。さらに具体的にはウエストゲート手段は上記の特性を有していることが好ましい。なお、本発明に対して請求項１または２記載の発明は、例えばウエストゲート手段が作動していない状態で、２次ノズルの高さが基準高さになっている場合に最大必要流量が得られるときのタービン効率より低くとも、これに近いタービン効率が得られる場合にも、広帯域でタービン効率の高効率化を図ることについて相応の効果を得ることができることに鑑みたものである。
【００１４】
また本発明は前記ウエストゲート手段が、設定されている前記２次ノズルの高さで流量に応じて変化するタービン効率が最大になるときに作動した場合に、少なくとも前記最大必要流量が得られるように、前記２次ノズルに流入しようとするガスを迂回させることができる特性を有していてもよい。またウエストゲート手段は具体的には上記のようにタービン効率が最大になるときに作動した場合に、上記特性を有していることが好ましい。なお、請求項１から３までに記載の発明各々は、例えば上記のとき以外にウエストゲート手段が作動した場合であっても、広帯域でタービン効率の高効率化を図ることについて相応の効果を得ることができることに鑑みたものである。
【００１５】
また本発明は前記２次ノズルの高さが、前記ウエストゲート手段が作動していない状態で流量に応じた最大タービン効率を示すものとして定義された最大効率曲線に含まれるタービン効率のうち、最大の第１の特定タービン効率を得ることができる高さに設定されているとともに、前記ウエストゲート手段が、前記第１の特定タービン効率が得られるときに作動した場合に、少なくとも前記最大必要流量が得られるように、前記２次ノズルに流入しようとするガスを迂回させることができる特性を有していてもよい。さらに２次ノズルの高さは、具体的には例えば上記の高さに設定されていることが好適であり、このときウエストゲート手段は上記の特性を有していることが好ましい。これにより広帯域でタービン効率の高効率化を図ることができるとともに、特に中速域での過給性能向上を図ることができる。
【００１６】
また本発明は前記２次ノズルの高さが、前記ウエストゲート手段が作動していない状態で流量に応じた最大タービン効率を示すものとして定義された最大効率曲線と、前記ウエストゲート手段が作動している状態で流量に応じたタービン効率を示すものとして定義された作動流線とが１点で接するときに対応した第２の特定タービン効率を得ることができる高さに設定されているとともに、前記ウエストゲート手段が、前記第２の特定タービン効率が得られるときに作動した場合に、少なくとも前記最大必要流量が得られるように、前記２次ノズルに流入しようとするガスを迂回させることができる特性を有していてもよい。
【００１７】
また２次ノズルの高さは具体的には例えば上記の高さに設定されていることが好適であり、このときウエストゲート手段は上記の特性を有していることが好ましい。これにより広帯域でタービン効率の高効率化を図ることができるとともに、特に高速域での過給性能向上を図ることができる。
【発明の効果】
【００１８】
本発明によれば、広帯域でタービン効率の高効率化を図ることができるツインノズル方式のタービン装置を提供できる。
【発明を実施するための最良の形態】
【００１９】
以下、本発明を実施するための最良の形態を図面と共に詳細に説明する。
【実施例１】
【００２０】
図１ないし３は、本発明のタービン装置がターボ過給機の一部として実現されている場合のタービン装置の一実施形態を示す図であって、図１は一部に破断断面を含むタービン装置の外観斜視図、図２はタービンホイールの軸線方向に沿ったタービン装置の断面図、図３は固定ノズルの外観斜視図である。なお、図４では、理解を容易にすべく本発明のタービン装置の要部を、タービンホイールの軸線方向に沿った断面で模式的に示している。
【００２１】
このタービン装置を備えたターボ過給機は、例えば内燃機関の過給に適用されるものであって、図１に示すように、タービンハウジング１０、タービンブレードが形成されたタービンホイール２００、一端がタービンホイール２００と連結されて他端に図示しないコンプレッサが連結される回転軸２１０、タービンハウジング１０内に配置される固定ノズル５０、図示しないボルトによりタービンハウジング１０に固定された遮熱機能を有するシュラウドプレート７０等から構成されている。
【００２２】
タービンハウジング１０は、鋳鉄等の金属材料により鋳造され、図１または２に示すように、タービンホイール２００の軸線方向において互いに環状の隔壁部３１で隔てられた第１及び第２のスクロール室３０Ａ，３０Ｂを備え、第１及び第２のガス通路２０Ａ，２０Ｂから導入された排気ガスが第１及び第２のスクロール室３０Ａ，３０Ｂへ導かれるようになっている。
【００２３】
第２のガス通路２０Ｂには、２次ノズル５４を通る排気ガスの流量を調整可能な流量調整バルブ２１が配設されている。この流量調整バルブ２１は電子制御で駆動することができ、ガス通路２０Ｂを全開、全閉にするほか、第２のガス通路２０Ｂの遮蔽度合いを調整できるようになっている。なお、流量調整バルブ２１はこれに限られず、差圧等で作動するメカニカルバルブで実現されてもよい。
【００２４】
さらにガス通路２０Ｂには、２次ノズルに流入しようとする排気ガスを迂回させることが可能なウエストゲートバルブ（以下、単にＷＧＶと称す）２５が配設されている。ＷＧＶ２５は流量調整バルブ２１と２次ノズル５４との間を流通する排気ガスを迂回させることができるように、流量調整バルブ２１の下流に配設されている。このＷＧＶ２５も電子制御で駆動することができ、流路を全開、全閉にできるようになっている。なお、ＷＧＶ２５はさらに流路の遮蔽度合いを調整できるようになっていてもよく、また差圧等で作動するメカニカルバルブで実現されてもよい。
【００２５】
固定ノズル５０は、図１または図２に示すように、タービンハウジング１０内に配置されており、図３に示すように、環状のベース５６と環状の中間プレート５５の間の所定位置に固定された複数のノズルベーン５１から構成されて第１のスクロール室３０Ａの排気ガスをタービンホイール２００へ導く１次ノズル５３を備えていると共に、環状の中間プレート５５の所定位置に固定された複数のノズルベーン５２から構成されて第２のスクロール室３０Ｂの排気ガスをタービンホイール２００へ導く２次ノズル５４を備えている。尚、１次ノズル５３及び２次ノズル５４は、タービンホイール２００の軸線方向に沿って並列して配置される。本実施例では２次ノズル５４の高さｄは０．４２ｍｍに設定されている。
【００２６】
シュラウドプレート７０は、図２等に示すように、タービンハウジング１０と協働して固定ノズル５０を挟持するようにタービンハウジング１０に固定され、第１及び第２のスクロール室３０Ａ，３０Ｂ内の排気ガスが図示しないコンプレッサ側へ放出されるのを防いで、コンプレッサ側への熱の放出を遮断する遮熱機能を有する。本実施例では流量調整バルブ２１で流量調整手段が、ＷＧＶ２５でウエストゲート手段が夫々実現されている。
【００２７】
上述の構成で、次に本実施例に係るターボ過給機で得ることができるタービン効率ηｔｍについて図５を用いて詳述する。なお、図５では、ＷＧＶ２５が作動していない状態で（或いはＷＧＶ２５を備えていない状態で）、流量に応じた最大タービン効率を示すものとして定義された最大効率曲線Ｒ１と、ＷＧＶ２５が作動していない状態で、２次ノズル５４の高さｄが１ｍｍになっている場合に流量に応じて得られるタービン効率ηｔｍを示す効率曲線Ｒ２も同時に示している。ここで、最大効率曲線Ｒ１は前述した数３に示す式で定義されるものである。また本実施例に係るターボ過給機では高さｄが１ｍｍのときに、ＷＧＶ２５が作動していない状態で最大必要流量Ｑｍａｘが得られることから、１ｍｍが基準高さとなっている。
【００２８】
本実施例に係るターボ過給機では、２次ノズル５４の高さｄが基準高さ１ｍｍよりも低い０．４２ｍｍに設定されている。またこの高さ０．４２ｍｍは最大効率曲線Ｒ１に含まれるタービン効率ηｔｍのうち、最大の第１の特定タービン効率ηｔｍ１を得ることができる高さになっている。なお、この高さ０．４２ｍｍは、前述した数２に示す式で第１の特定タービン効率ηｔｍ１を得ることができるタービン流量Ｑに対応する高さｄを算出することで求めることができる。また第１の特定タービン効率ηｔｍ１を得ることができるタービン流量Ｑは図示から求められるほか、数３に示す式で、微分値が０（ゼロ）になる値、すなわちΔηｔｍ／ΔＱ＝０なるタービン流量Ｑを算出することでも求めることができる。
【００２９】
このため、２次ノズル５４を併用したときには、タービン効率ηｔｍは流量が増大するにつれて効率曲線Ｒ３に示すように向上する。これにより特に中速域で過給性能の向上を図ることができる。さらに本実施例ではＷＧＶ２５が、第１の特定タービン効率ηｔｍ１が得られるときに作動する（開く）ようになっている。このため本実施例ではこれにより背圧の上昇を抑制できるとともに、さらに大きな流量を得ることができる。
【００３０】
一方、このときタービン効率ηｔｍは流量の増大に応じて作動流線Ｒ４に示すように低下していく。この作動流線Ｒ４は、ＷＧＶ２５が作動している状態で流量に応じたタービン効率ηｔｍを示すものとして定義された曲線であり、数４に示す式で定義されている。
（数４）
ηｔｍＷＧＶ＝ζ（Ｑ）｜ε
そしてこの作動流線Ｒ４が示す特性は適用されているＷＧＶ２５の特性に応じたものとなっている。したがって本実施例では作動流線Ｒ４に示されるように、ＷＧＶ２５が、最大必要流量Ｑｍａｘが得られるように、且つＷＧＶ２５が作動していない状態で、２次ノズル５４の高さｄが１ｍｍになっている場合に最大必要流量Ｑｍａｘが得られるときのタービン効率ηｔｍ３よりも、最大必要流量Ｑｍａｘが得られるときのタービン効率ηｔｍが高くなるように、２次ノズル５４に流入しようとする排気ガスを迂回させることができる特性を有していることがわかる。
【００３１】
このため、本実施例に係るターボ過給機では、最大必要流量Ｑｍａｘが得られるときのタービン効率ηｔｍがηｔｍ３よりも高いηｔｍ４になり、高流量時でもタービン効率ηｔｍを向上させることができる。さらに本実施例に係るターボ過給機では、効率曲線Ｒ３及び作動流線Ｒ４が、効率曲線Ｒ２よりも高いタービン効率ηｔｍを示していることからわかるように、２次ノズル５４を併用している状態で全体的に、すなわち広帯域でタービン効率ηｔｍを向上させることができ、この結果、面積Ｓ１で示される分だけタービン効率ηｔｍを向上させることができる。以上により、広帯域でタービン効率ηｔｍの高効率化を図ることができるタービン装置及び係るタービン装置を備えたターボ過給機を実現できる。
【実施例２】
【００３２】
本実施例に係るターボ過給機は、２次ノズル５４の高さｄが異なっている点と、ＷＧＶ２５が作動するときが異なっている点以外、実施例１に係るターボ過給機と同一のものとなっている。次に本実施例に係るターボ過給機で得ることができるタービン効率ηｔｍについて図６を用いて詳述する。本実施例に係るターボ過給機では、２次ノズル５４の高さｄが基準高さ１ｍｍよりも低い０．８３ｍｍに設定されている。またこの高さ０．８３ｍｍは、最大効率曲線Ｒ１と、作動流線Ｒ４とが１点で接するときに対応した第２の特定タービン効率ηｔｍ２を得ることができる高さになっている。なお、この高さ０．８３ｍｍは、前述した数２に示す式で第２の特定タービン効率ηｔｍ２を得ることができるタービン流量Ｑに対応する高さｄを算出することで求めることができる。
【００３３】
このため、２次ノズル５４を併用したときには、タービン効率ηｔｍは流量が増大するにつれて効率曲線Ｒ５に示すように向上する。これにより特に高速域で過給性能の向上を図ることができる。また本実施例ではＷＧＶ２５が、第２の特定タービン効率ηｔｍ２が得られるときに作動するようになっている。このため本実施例ではこれにより背圧の上昇を抑制できるとともに、さらに大きな流量を得ることができる。
【００３４】
一方、このときタービン効率ηｔｍは流量の増大に応じて作動流線Ｒ４に示すように低下していく。これに対して本実施例でも作動流線Ｒ４に示されるように、ＷＧＶ２５が、最大必要流量Ｑｍａｘが得られるように、且つ最大必要流量Ｑｍａｘが得られるときのタービン効率ηｔｍがタービン効率ηｔｍ３よりも高くなるように、２次ノズル５４に流入しようとする排気ガスを迂回させることができる特性を有していることがわかる。
【００３５】
このため、本実施例に係るターボ過給機では、最大必要流量Ｑｍａｘが得られるときのタービン効率ηｔｍがηｔｍ３よりも高いηｔｍ５になり、高流量時でもタービン効率ηｔｍを向上させることができる。さらに本実施例に係るターボ過給機では、効率曲線Ｒ５及び作動流線Ｒ４が、効率曲線Ｒ２よりも高いタービン効率ηｔｍを示していることからわかるように、２次ノズル５４を併用している状態で全体的に、すなわち広帯域でタービン効率ηｔｍを向上させることができ、この結果、面積Ｓ２で示される分だけタービン効率ηｔｍを向上させることができる。以上により、広帯域でタービン効率ηｔｍの高効率化を図ることができるタービン装置及び係るタービン装置を備えたターボ過給機を実現できる。
【００３６】
上述した実施例は本発明の好適な実施の例である。但し、これに限定されるものではなく、本発明の要旨を逸脱しない範囲内において種々変形実施可能である。例えば上述した実施例では本発明がターボ過給機に適用されている場合について詳述したが、本発明はその適用がターボ過給機に限定されるものではない。
【００３７】
また本発明は例えば図７から図１１までに示すようなタービン効率ηｔｍが得られるように実施することもできる。これら図７から図１１までは、請求項５、４、３、２及び１記載の発明夫々を実施例１の変形例として実施したときに得られるタービン効率ηｔｍの一例を示すものである。これらの場合でも図７から図１１までに示すように、タービン効率ηｔｍの高効率化を図ることについて相応の効果を得ることができる。
【図面の簡単な説明】
【００３８】
【図１】一部に破断断面を含むタービン装置の外観斜視図である。
【図２】タービンホイールの軸線方向に沿ったタービン装置の断面図である。
【図３】固定ノズルの外観斜視図である。
【図４】タービン装置の要部を、タービンホイールの軸線方向に沿った断面で模式的に示す図である。
【図５】実施例１に係るターボ過給機のタービン効率ηｔｍを示す図である。
【図６】実施例２に係るターボ過給機のタービン効率ηｔｍを示す図である。
【図７】請求項５記載の発明を実施例１の変形例として実施したときに得られるタービン効率ηｔｍの一例を示す図である。
【図８】請求項４記載の発明を実施例１の変形例として実施したときに得られるタービン効率ηｔｍの一例を示す図である。
【図９】請求項３記載の発明を実施例１の変形例として実施したときに得られるタービン効率ηｔｍの一例を示す図である。
【図１０】請求項２記載の発明を実施例１の変形例として実施したときに得られるタービン効率ηｔｍの一例を示す図である。
【図１１】請求項１記載の発明を実施例１の変形例として実施したときに得られるタービン効率ηｔｍの一例を示す図である。
【図１２】ツインノズル方式のターボ過給機の一例を、タービンホイールの軸線方向に沿った断面で要部を用いて模式的に示す図である。
【図１３】ツインノズル方式のターボ過給機のタービン効率ηｔｍの一例を示す図である。
【図１４】ツインノズル方式のターボ過給機におけるタービン流量Ｑと２次ノズルの高さｄとの関係の一例を、ウエストゲート手段を備えていない場合について示す図である。
【符号の説明】
【００３９】
１０  タービンハウジング
２０Ａ  第１のガス通路
２０Ｂ  第２のガス通路
２１  流量調整バルブ
２５  ウエストゲートバルブ
３０Ａ  第１のスクロール室
３０Ｂ  第２のスクロール室
５０  固定ノズル
５１，５２  ノズルベーン
５３  １次ノズル
５４  ２次ノズル
７０  シュラウドプレート
２００  タービンホイール
２１０  回転軸
【図１】
2008231993.tif 000003
【図２】
2008231993.tif 000004
【図３】
2008231993.tif 000005
【図４】
2008231993.tif 000006
【図５】
2008231993.tif 000007
【図６】
2008231993.tif 000008
【図７】
2008231993.tif 000009
【図８】
2008231993.tif 000010
【図９】
2008231993.tif 000011
【図１０】
2008231993.tif 000012
【図１１】
2008231993.tif 000013
【図１２】
2008231993.tif 000014
【図１３】
2008231993.tif 000015
【図１４】
2008231993.tif 000016